(57)【要約】      （修正有）【課題】伝統的縫製のきものでありながら、簡易きもののように、一人で簡単に美しくかつ型崩れなく着付けることができるようにする。【解決手段】前身頃３の身八口５を通してきもの１の内から外へ抜けて背側を回って前側へ回される第１の衿合わせ用ベルト１８と、上前側となる前身頃側の衿に取り付けられ第１の衿合わせ用ベルト１８と前側で連結される第２の衿合わせ用ベルト１９と、前身頃の着丈並びにきものの腰部付近を固定する腰部固定用ベルト１３と、後身頃３の腰部付近の内側の面に取り付けられた後身頃用着丈調節ベルト１０とを備え、後身頃用着丈調節ベルトを着用者の身体に巻き付けて後身頃の着丈位置を調整してから、腰部固定用ベルトを用いて前身頃の着丈を調整しながら下見頃側を固定し、他方、第１及び第２の衿合わせ用ベルト１８，１９を用いて衿２の形を整え衿合わせを行ってから上身頃側を固定するようにしている。【選択図】図１
2013002021.tif 000002
【特許請求の範囲】
【請求項１】
下前となる衿に取り付けられ上前側となる前身頃の身八口を通してきものの内から外へ抜けて背側を回って前側へ回される第１の衿合わせ用ベルトと、上前側となる前身頃側の衿に取り付けられきものの外を背側へと１周回って前記第１の衿合わせ用ベルトと前側で連結される第２の衿合わせ用ベルトと、上前となる前身頃の衿先部分に備えられて背側へと回されて前側で連結されて腰の位置で合わせ前身頃の着丈並びにきものの腰部付近を固定する腰部固定用ベルトと、後身頃の腰部付近の内側の面に取り付けられ、きものの内側で着用者の体の前へ回して両端を連結することにより前記後身頃の腰部付近を着用者の身体に固定する後身頃用着丈調節ベルトとを備え、前記後身頃用着丈調節ベルトを着用者の身体に巻き付けて前記後身頃の着丈位置を調整してから、前記腰部固定用ベルトを用いて前身頃の着丈を調整しながら下見頃側を固定し、他方、前記第１及び第２の衿合わせ用ベルトを用いて衿の形を整え衿合わせを行ってから上身頃側を固定することを特徴とするきもの。
【請求項２】
前記後身頃用着丈調節ベルトは、前記後身頃の腰部付近の内側の面に丈方向に離して複数形成された後身頃用着丈調節ベルト通しのうちの１つに通されることで前記後身頃に取り付けられるものであり、任意の段の前記後身頃用着丈調節ベルト通しに通されて前記きものの内側で着用者の体の前へ回して両端を連結することにより前記後身頃の着丈調節用ベルト通しの位置を着用者の身体に固定するものである請求項１記載のきもの。
【請求項３】
前記腰部固定用ベルトは、上前となる前身頃の衿先部分から背側を回って前側へ回される第１の腰部固定用ベルトと、前記上前側の衿先部分から前記第１の腰部固定用ベルトとは反対に前側へと回って前記第１の腰部固定用ベルトと前側で連結される第２の腰部固定用ベルトとを有するものである請求項１または２記載のきもの。
【請求項４】
後衿の内側の面に対を成す留め具の一方を設けた請求項１から３のいずれか１つの記載のきものと、後衿の外側の面に前記留め具の他方が設けられた長襦袢とから成り、前記きものと前記長襦袢とが各々後衿部分において前記留め具で止め付けられて着付け前に予め一体となって羽織るように組み合わせられるものであり、かつ前記長襦袢の背の内側には後衿を引き下ろす衿抜きのための引き布と該引き布に通されて内側で着用者の体に巻き付けられ後衿の深さを決める衿抜き用ベルトとを備える一方、前記長襦袢の衿の下部分には身八口を通して長襦袢の内側から外へ抜けて前見頃側へ回される襟元固定用第１ベルトと、長襦袢の外から背側へ回って反対側の前見頃側へ回され前記襟元固定用第１ベルトと係合される襟元固定用第２ベルトとを備え、後衿部分で予め一体となった前記きものと前記長襦袢とに袖を通して羽織った状態で、前記長襦袢の衿抜きの深さを前記衿抜き用ベルトを前記着用者の体の前へ回して固定することにより決定してから前記長襦袢の襟元固定用第１及び第２ベルトを使って前記長襦袢を着用してから前記きものの着付けを行うきものセット。
【請求項５】
下前となる衿に取り付けられ上前側となる前身頃の身八口を通してゆかたの内から外へ抜けて背側を回って前側へ回される第１の衿合わせ用ベルトと、上前側となる前身頃側の衿に取り付けられゆかたの外を背側へと１周回って前記第１の衿合わせ用ベルトと前側で連結される第２の衿合わせ用ベルトと、上前となる前身頃の衿先部分に備えられて背側へと回されて前側で連結されて腰の位置で合わせ前身頃の身丈並びにゆかたの腰部付近を固定する腰部固定用ベルトと、背の内側には後衿を引き下ろす衿抜きのための引き布と該引き布に通されて内側で着用者の体に巻き付けられ後衿の深さを決める衿抜き用ベルトとを備え、前記後身頃用着丈調節ベルトを着用者の身体に巻き付けて前記後身頃の着丈位置を調整してから、前記腰部固定用ベルトを用いて前身頃の着丈を調整しながら下見頃側を固定し、他方、前記第１及び第２の衿合わせ用ベルトを用いて衿の形を整え衿合わせを行ってから上身頃側を固定することをことを特徴とするゆかた。
【請求項６】
前記後身頃の腰部付近の内側の面に取り付けられ、前記ゆかたの内側で前記着用者の体の前へ回して両端を連結することにより前記後身頃の腰部付近を前記着用者の身体に固定する後身頃用着丈調節ベルトを備えたものである請求項５記載のゆかた。
【発明の詳細な説明】
【技術分野】
【０００１】
本発明は、きもの及びきものセット並びにゆかたに関する。さらに詳述すると、本発明は、本体部分が伝統的な縫製のままでありながら、洋装のような着やすさを特長とする立体縫製きものと同様の簡易な着付けを可能とするきもの及びきものセット並びにゆかたに関する。
【背景技術】
【０００２】
伝統的なきもの、特に女性用のきものは、肌襦袢、裾よけ、長襦袢などの下着を着用した上から、複数本の腰紐や伊達締めなどを用いて、お端折りを作って着丈よりも長い身丈のきものの裾線を揃え、また衿を整えながら、さらに伊達締めで締めて着付け上がりとし、その後に帯を結んで着付けを完了するものである。したがって、各紐や伊達締めの位置や締め方が不十分であると、美しく着られないばかりか、型崩れを起こし易いものとなる。しかも、着丈より長い身丈のきものを一人でお端折りをつくる際には、裾線がきれいに出せなかったり、不要な部位に皺が出たりして、着慣れていない人には一人で簡単に美しく着用するということが極めて難しいものである。このため、近年、きものを着られる人は少なくなっている。また、ゆかたさえも一人で上手に着られる人も少なくなっている。このため、着物離れが進み、多くのきものが箪笥に仕舞い込まれたまま活用されていないのが現状である。  
【０００３】
そこで、近年は、洋服のような感覚で誰にでも容易に着用できる簡易なきものとして、洋服のような立体縫製によって作製されたきものが提案されている。この立体縫製きものとしては、巻きスカートのような下着部と上着部とから構成されて着丈の調整を可能とする二部式きもの（特許文献１，２）と、普通のきもののように上下連続した一部式（特許文献３）とがある。一部式立体縫製きものは、縫製した際に着用者の身体に適合するように予め立体裁断された上衣部、お端折り部、下衣部を曲線縫製して立体的に構成され、身長から割り出された身丈や端折りの位置などが決められるイージー・オーダー（ハーフ・メード）なので、洋服を着るような気やすさでありながら、普通のきものと変わらぬ着用感があり、着付けが簡易ながら本物のきものを着ているような満足感が得られるものである。
【０００４】
また、伝統的な縫製によるきもの（本明細書においては、立体縫製による簡易きものに対する概念として「普通のきもの」と称する）を、ただ箪笥に仕舞い込んでしまうだけではもったいないので、これを利用して立体縫製の簡易きものを製作することも行われている。
【先行技術文献】
【特許文献】
【０００５】
【特許文献１】特開平１１−２４７００７
【特許文献２】特開２０００−１６０４０９
【特許文献３】特公平５−６５６０１
【発明の概要】
【発明が解決しようとする課題】
【０００６】
しかしながら、二部式立体縫製きものは、帯様のベルトで下着部と上着部との境を覆い隠して固定することにより、上下連続した普通のきものと変わらない装いの出来映えを求めているが、見た目は本物の普通のきものを着ているように見えたとしても、巻きスカートと上着とを着用しているだけで本物の普通のきものを着ていないという意識を拭い取ることが難しいものである。殊に、着用するとき、さらには脱ぐときに、如何にも普通のきものとは異なる装い感があり、いやでも簡易版であることの意識が高まり、和装を楽しむという気分をややもすれば損なうという問題がある。
【０００７】
また、一部式立体縫製きものは、身長から割り出された身丈や端折りの位置などが決められるイージー・オーダーが故に、その人しか着られないという欠点がある。即ち、一部式立体縫製きものの場合には、柄や色の趣味が合うあわない以前の問題として身長がほぼ同じでないと譲渡や貸し借りまたは共用などができないという問題がある。このことは、一部式立体縫製きものの貸衣装としての使用を制約してしまうものでもある。
【０００８】
さらに、普通のきものを利用して一部式立体縫製簡易きものを製作する場合にも、一旦きものを解いて、生地を裁断した後にあらためて縫い直す必要があるため、非常に費用のかかるものとなってしまう問題がある。しかも、一旦解いて生地を裁断した後には、再び普通のきものに仕立て直すことはできないという致命的な問題を有している。
【０００９】
そこで本発明は、伝統的な縫製のままでありながら、立体縫製の簡易きもののように、一人で簡単に美しくかつ型崩れなく着付けることができるきもの及びきものセット並びにゆかたを提供することを目的とする。
【課題を解決するための手段】
【００１０】
かかる目的を達成するため、本発明のきものは、下前となる衿に取り付けられ上前側となる前身頃の身八口を通してきものの内から外へ抜けて背側を回って前側へ回される第１の衿合わせ用ベルトと、上前側となる前身頃側の衿に取り付けられきものの外を背側へと１周回って前記第１の衿合わせ用ベルトと前側で連結される第２の衿合わせ用ベルトと、上前となる前身頃の衿先部分に備えられて背側へと回されて前側で連結されて腰の位置で合わせ前身頃の着丈並びにきものの腰部付近を固定する腰部固定用ベルトと、後身頃の腰部付近の内側の面に取り付けられ、きものの内側で着用者の体の前へ回して両端を連結することにより後身頃の腰部付近を着用者の身体に固定する後身頃用着丈調節ベルトとを備え、後身頃用着丈調節ベルトを着用者の身体に巻き付けて後身頃の着丈位置を調整してから、腰部固定用ベルトを用いて前身頃の着丈を調整しながら下見頃側を固定し、他方、第１及び第２の衿合わせ用ベルトを用いて衿の形を整え衿合わせを行ってから上身頃側を固定するようにしている。
【００１１】
ここで、後身頃用着丈調節ベルトは、後身頃の腰部付近の内側の面に丈方向に離して複数形成された後身頃用着丈調節ベルト通しのうちの１つに通されることで後身頃に取り付けられるものであり、任意の段の後身頃用着丈調節ベルト通しに通されてきものの内側で着用者の体の前へ回して両端を連結することにより後身頃の着丈調節用ベルト通しの位置を着用者の身体に固定するものであることが好ましい。
【００１２】
また、腰部固定用ベルトは、上前となる前身頃の衿先部分から背側を回って前側へ回される第１の腰部固定用ベルトと、上前側の衿先部分から第１の腰部固定用ベルトとは反対に前側へと回って第１の腰部固定用ベルトと前側で連結される第２の腰部固定用ベルトとを有するものであることが好ましい。
【００１３】
また、本発明にかかるきものセットは、後衿の内側の面に対を成す留め具の一方を設けた上述の請求項１から３のいずれか１つの記載のきものと、後衿の外側の面に留め具の他方が設けられた長襦袢とから成り、きものと長襦袢とが各々後衿部分において留め具で止め付けられて着付け前に予め一体となって羽織るように組み合わせられるものであり、かつ長襦袢の背の内側には後衿を引き下ろす衿抜きのための引き布と該引き布に通されて内側で着用者の体に巻き付けられ後衿の深さを決める衿抜き用ベルトとを備える一方、長襦袢の前身頃の衿の下部分には身八口を通して長襦袢の内側から外へ抜けて前見頃側へ回される襟元固定用第１ベルトと、長襦袢の外から背側へ回って反対側の前見頃側へ回され襟元固定用第１ベルトと係合される襟元固定用第２ベルトとを備え、後衿部分で予め一体となったきものと長襦袢とに袖を通して羽織った状態で、長襦袢の衿抜きの深さを衿抜き用ベルトを着用者の体の前へ回して固定することにより決定してから長襦袢の襟元固定用第１及び第２ベルトを使って長襦袢を着用してからきものの着付けを行うようにしている。
【００１４】
さらに、本発明にかかるゆかたは、下前となる衿に取り付けられ上前側となる前身頃の身八口を通してゆかたの内から外へ抜けて背側を回って前側へ回される第１の衿合わせ用ベルトと、上前側となる前身頃側の衿に取り付けられゆかたの外を背側へと１周回って第１の衿合わせ用ベルトと前側で連結される第２の衿合わせ用ベルトと、上前となる前身頃の衿先部分に備えられて背側へと回されて前側で連結されて腰の位置で合わせ前身頃の身丈並びにゆかたの腰部付近を固定する腰部固定用ベルトと、背の内側には後衿を引き下ろす衿抜きのための引き布と該引き布に通されて内側で着用者の体に巻き付けられ後衿の深さを決める衿抜き用ベルトとを備え、後身頃用着丈調節ベルトを着用者の身体に巻き付けて後身頃の着丈位置を調整してから、腰部固定用ベルトを用いて前身頃の着丈を調整しながら下見頃側を固定し、他方、第１及び第２の衿合わせ用ベルトを用いて衿の形を整え衿合わせを行ってから上身頃側を固定するようにしている。
【００１５】
ここで、ゆかたは生地が薄く軽いため、裾線、下前、上前を合わせて着丈を調整する際に、下見頃が生地そのものの重さで下がってくることが少ない。このため、後身頃を引き上げて裾線を合わせた後に、下見頃を固定しておく必要は少ない。しかしながら、本発明のゆかたにおいて、さらに後身頃の腰部付近の内側の面に取り付けられ、ゆかたの内側で着用者の体の前へ回して両端を連結することにより後身頃の腰部付近を着用者の身体に固定する後身頃用着丈調節ベルトを備えていることが好ましい。
【発明の効果】
【００１６】
請求項１記載のきものによれば、後身頃用着丈調節ベルト、第１及び第２の衿合わせ用ベルト並びに腰部固定用ベルトの３種類のベルトを取り付けるだけで、普通のきものでありながら、立体縫製の簡易きもののように、一人で簡単に美しくかつ型崩れなく着られるきものとすることができる。即ち、本発明のきものによれば、きもの本体は普通の形態ながら、後身頃用着丈調節ベルトを着用者の身体に巻き付けて後身頃の着丈位置を調整してから、腰部固定用ベルトを用いて前身頃の着丈を調整しながら下見頃側を固定すると共にお端折りを形成し、さらに第１及び第２の衿合わせ用ベルトを用いて衿の形を整え衿合わせを行ってから上身頃側を固定することができるので、一人でお端折りを作って裾線を揃えながら着丈を簡易に調整することができる。
【００１７】
また、本発明によれば、あらゆる普通のきものをそのまま利用して簡易着付けが可能なきものを簡単に製作できる。しかも、普通のきものを解くことなくそのままの状態で利用することができるので、一旦きものを解いてから立体裁断して縫製し直す立体縫製の簡易きものに比べて、格段に費用がかからないばかりか、各ベルトを取り外すことによって普通のきものとしてもそのまま使用することも可能である。勿論、きものを着るときには、各ベルトを取り付けるだけで、一人で簡単に美しくかつ型崩れなく着付けることができる簡易きものに簡単に変更することができる。
【００１８】
さらに、後身頃の腰部付近を着用者の身体に固定する後身頃用着丈調節ベルトの位置を調節することにより、普通のきものと同様に、きものを着る人の身長に合わせて身丈を調整して適切な着丈に調節することができるので、立体縫製の簡易きものとは異なり、体格や体形が変形したり、あるいは体格や体形が異なる人の間で貸し借りしても着られる。このことは、不特定多数の顧客を対象としするきもののレンタル事業などにおいては特に有用である。
【００１９】
しかも、後身頃用着丈調節ベルトをきものの内側で体の前に回して体に巻き付けるだけで後身頃の着丈を調整することができ、さらに下前並びに上前を合わせてから腰部固定用ベルトを巻き付けて前身頃の着丈の調整と下見頃の固定を行うので、裾線も簡単に決められると共に身丈調整も簡単である。加えて、腰部固定用ベルトで下身頃側が固定された状態でお端折りを整えることができるので、綺麗にお端折りを作ることができる。さらに、腰部固定用ベルトで下身頃側が固定された状態で、衿合わせを行って第１及び第２の衿合わせ用ベルトを使って衿を好みの形に整えると共に襟元を固定できるので、普通のきものを着慣れていなくとも、美しくかつ型崩れを起こすことが少ない襟元を簡単に作ることができる。そして、襟元を引っ張って体の前で第１及び第２の衿合わせ用ベルトを連結して固定することができるので、着付けの作業が簡単である。また、下見頃と上身頃とをそれぞれ固定してお端折りを整えることができるので綺麗に処理することができる。
【００２０】
また、請求項２記載のきものによれば、後身頃用着丈調節ベルトを身体に巻き付けて固定する位置は、同じ高さ、通常腰紐を締めて結ぶ位置である方がしっくりと馴染みやすいため、着付けがし易い。このため、複数段の着丈調節用ベルト通しを一般的に想定される腰紐を締めて結ぶ位置を中心に設けて、後身頃用着丈調節ベルトを通す段を変えることによって着丈調整を行うことが好ましい。
【００２１】
また、請求項３記載のきものによれば、第１の腰部固定用ベルトと第２の腰部固定用ベルトとを体の前で連結してきものの下見頃を腰部の位置で固定できるので、着付けの作業が簡単である。
【００２２】
さらに、請求項４記載のきものセットによれば、後衿部分で一体化されたきものと長襦袢とを羽織り両手を自由に動かせる状態で、襟抜きベルトを使って予め任意の衿の深さと形をつくってから長襦袢の前の固定を行って長襦袢を着用し、次いできものの着付けを、後身頃用着丈調節ベルトを使って後見頃の着丈を決めてから腰部固定用ベルトを使って前身頃の着丈調整と下見頃の固定を行うと共に第１及び第２の衿合わせ用ベルトを使って衿を好みの形に整えると共に上身頃を固定し、お端折りを綺麗に処理して完了できるので、熟練していなくとも一人で手早くかつ容易に衿抜き、着丈調整並びにきものの着用をすることができる。しかも、長襦袢ときものとを重ねて同時に洋服感覚で一人で手早くかつ容易に着ることを可能としながらも、着崩れせずに長襦袢の後衿を簡単に抜くことができる。
【００２３】
さらに、請求項５記載のゆかたによれば、背の内側には後衿を引き下ろす衿抜きのための引き布と該引き布に通されて内側で着用者の体に巻き付けられ後衿の深さを決める衿抜き用ベルトとを備える一方、第１及び第２の衿合わせ用ベルト並びに腰部固定用ベルトを取り付けるだけで、一人で簡単に美しくかつ型崩れなく着られる着付けが簡易なゆかたとすることができる。即ち、本発明のゆかたによれば、ゆかた本体は普通の形態ながら、襟抜きベルトを使って予め任意の衿の深さと形をつくってから、腰部固定用ベルトを用いて下身頃の着丈を調整しながら下見頃側を固定すると共にお端折りを形成し、さらに第１及び第２の衿合わせ用ベルトを用いて衿の形を整え衿合わせを行ってから上身頃側を固定することができるので、一人で襟抜き、お端折りを作って裾線を揃えながら着丈を簡易に調整することができる。
【００２４】
加えて、腰部固定用ベルトで下身頃側が固定された状態で、衿合わせを行って第１及び第２の衿合わせ用ベルトを使って衿を好みの形に整えると共に襟元を固定できるので、ゆかたを着慣れていなくとも、美しくかつ型崩れを起こすことが少ない襟元を簡単に作ることができる。しかも、襟元を引っ張って体の前で第１及び第２の衿合わせ用ベルトを連結して固定することができるので、着付けの作業が簡単である。また、第１及び第２の衿合わせ用ベルトで上身頃を固定してから、お端折りを整えることができるので、綺麗に処理することができる。
【００２５】
さらに、着付けが簡易なゆかたに作製されても、ゆかたを着る人の身長に合わせて身丈を調整して適切な着丈に調節することができるので、着付けを簡易にするために立体縫製されるものとは異なって、体格や体形が変化したりあるいは体格や体形が異なる人の間でね貸し借りして着られる。
【００２６】
さらに、本発明のゆかたにおいて、後身頃の腰部付近の内側の面に取り付けられ、ゆかたの内側で着用者の体の前へ回して両端を連結することにより後身頃の腰部付近を着用者の身体に固定する後身頃用着丈調節ベルトを備えた場合、後身頃用着丈調節ベルトの位置を調節することにより、裾線を揃えながら身長に合わせて身丈を調整して適切な着丈に簡易に調節することができる。しかも、後身頃用着丈調節ベルトを着用者の身体に巻き付け固定することで、後身頃の裾線を代えずに前身頃の着丈の調節、固定をすることができるので、着付けがより一層容易なものとなる。
【図面の簡単な説明】
【００２７】
【図１】本発明のきものの一実施形態を前見頃を開いて示す正面図である。
【図２】同きものの衿先部分に設けられた腰部固定用ベルトの一実施形態を示す斜視図である。
【図３】本発明のきものセットに組み合わされる長襦袢の一実施形態を前見頃を開いて示す正面図である。
【図４】本発明のきものセットの一実施形態を前見頃を開いて示す正面図である。
【図５】本発明のゆかたの一実施形態を前見頃を開いて示す正面図である。
【図６】本発明のゆかたの他の実施形態を前見頃を開いて示す正面図である。
【発明を実施するための最良の形態】
【００２８】
以下、本発明の構成を図面に示す実施形態に基づいて詳細に説明する。
【００２９】
図１〜図３に本発明にかかるきものの実施の一形態を示す。このきもの１は、普通のきもの（伝統的な縫製のきものであり、付属する各ベルトに対するときにはきもの本体と称する）に後身頃用着丈調節ベルト１０、第１及び第２の衿合わせ用ベルト１８，１９並びに腰部固定用ベルト１３の３種類のベルトを備えたものであり、きもの本体は新たに仕立てても良いし、既存のきものをそのまま利用しても良い。
【００３０】
後身頃用着丈調節ベルト１０は、後身頃３の腰部付近の内側の面（裏地）に取り付けられ、きもの１の内側で着用者の体の前へ回して両端を連結することにより当該後身頃用着丈調節ベルト１０が取り付けられた部分・位置の後身頃３を着用者の身体に固定するものである。具体的には、本実施形態の場合には、後身頃３の腰部付近の裏地に着丈調節用ベルト通し９を備え、この着丈調節用ベルト通し９に後身頃用着丈調節ベルト１０を通すことによって、後身頃３に後身頃用着丈調節ベルト１０を取り付けるようにしている。ここで、着丈調節用ベルト通し９は、丈方向に離して複数段例えば３〜５段程度形成されており、任意の段の着丈調節用ベルト通し９に後身頃用着丈調節ベルト１０を通すことによって、着用者の身体に固定する後身頃３の位置を調整可能としている。即ち、後身頃用着丈調節ベルト１０を身体の同じ位置（通常腰紐を締めて結ぶ位置）で固定する場合、後身頃用着丈調節ベルト１０を通す着丈調節用ベルト通し９の段を変えることで、後身頃用着丈調節ベルト１０から下の後身頃３の長さ（実質的な着丈長さ）を調整可能としている。勿論、着丈調節用ベルト通し９が１段であっても、即ち後身頃用着丈調節ベルト１０の取り付け位置が一定の高さ（丈）であっても、後身頃用着丈調節ベルト１０を身体に巻き付けて固定する位置自体を丈方向に移動させることで、後身頃用着丈調節ベルト１０から下の後身頃３の長さ（実質的な着丈長さ）を調整することも可能である。しかしながら、後身頃用着丈調節ベルト１０を身体に巻き付けて固定する位置は、同じ高さ、通常腰紐を締めて結ぶ位置である方がしっくりとして馴染みやすいため、着付けがし易い。このため、複数段の着丈調節用ベルト通し９を一般的に想定される腰紐を締めて結ぶ位置を中心に設けて、後身頃用着丈調節ベルト１０を通す段を変えることによって着丈調整を行うことが好ましい。
【００３１】
着丈調節用ベルト通し９は、本実施形態の場合、後身頃３の中央（背中の中心）と左右両端の３カ所に設けられている。勿論、後身頃３の中央だけの１カ所や中央から少し離れた左右２カ所に、あるいは４カ所以上に設けることも可能であるが、後身頃３全体の着丈を揃えるように調整可能とするには、中央と両端の３カ所程度が好ましい。また、左右の２箇所の着丈調節用ベルト通し９は、前身頃との境界付近、場合によっては前身頃４側に少し入ったところに領域に設けるようにしても良い。
【００３２】
本実施形態の場合、下部見頃の裏地に帯布８を縦に縫いつけて着丈調節用ベルト通し９としている。この帯布８から成る着丈調節用ベルト通し９は、後身頃用着丈調節ベルト１０の幅よりも僅かにおおきな間隔を以て複数箇所が裏地に縫いつけられることにより、丈方向に複数段の着丈調節用ベルト通し９が形成されている。本実施形態の場合、後身頃用着丈調節ベルト１０の幅よりも僅かに大きな幅の着丈調節用ベルト通し９が５段形成されているが、これに特に限られるものでなく、着丈調整幅に応じて必要な数の着丈調節用ベルト通し９が設けられることは言うまでもない。また、着丈調節用ベルト通し９は、帯布８を区切るように縫いつけることで構成される場合に限られず、例えばループ状の紐を縫いつけたり、紐を一定間隔毎に複数箇所で裏地に縫いつけることなどによって形成するようにしても良い。尚、後身頃用着丈調節ベルト１０としては、ゴム糸を織り込んだ伸縮性に富む布ベルトの使用が好ましいが、これに特に限定されるものではなく、場合によっては伸縮性のない紐などを用いても良い。ゴム糸入り布ベルトを後身頃用着丈調節ベルト１０として使用する本実施形態の場合には、その両端に雌雄一対の留め具１１を備え、これらを一対の留め具１１を係合させることで身体の前方で連結するように設けられている。勿論、留め具１１を連結させる位置は、身体の真ん前であることが操作し易いことから好ましいが、これに特に限られる理由はなく、脇線の位置よりも前方において留め具１１を連結できれば、操作し易いものである。尚、普通のきものの場合、生地として正絹を用いることが多いので、きもの生地に触れる箇所の留め具３４としてマジックテープ（登録商標）の使用は生地を傷めるので好ましくない。そこで、正絹のきものに使用する場合には、各ベルトを固定する留め具としては、マジックテープ（登録商標）に代わる連結手段例えば一般に「かね」と呼ばれるフック形連結金具と該フック形連結金具を引っ掛ける輪との組み合わせからなる引っ掛け式の留め具、あるいは雌雄一対のスナップやホック、ボタンとボタン穴などの使用が好ましい。
【００３３】
さらに、上前となる衿先２ａの縁あるいは表側には、腰部固定用ベルト１３が取り付けられている。本実施形態の場合、腰部固定用ベルト１３は、上前となる衿先２ａに縫い付けられた腰部固定用ベルト通し１２に対して取り付けることによってきもの本体１に固定されている。具体的には、両端に対となる留め具の一方をそれぞれ備える１本のベルトを腰部固定用ベルト通し１２に通してから折り返すようにして輪をつくり、輪が閉じた部分を縫合あるいはクリップや安全ピンのような留め具１４で着脱自在に止め付けることにより、ベルトの両端がそれぞれ逆方向に向かって引き回せるように取り付けられている。つまり、１本の腰部固定用ベルト１３をその途中で腰部固定用ベルト通し１２に固定することによって、上から見て右回りのベルト１３ｂと左回りのベルト１３ａとを構成するように設けられている。したがって、上前を合わせた後に、ベルト１３の両端を互いに逆方向に引っ張って体に回してから両端の留め具を連結させて固定するように設けられている。このとき、背中を経由して前に引き回される右回りのベルト１３ａと直接前側に引き回される左回りのベルト１３ｂの長さを異ならせて、丁度体の前側の中心で両ベルト端の留め具の連結が行えるようにすることが好ましい。また、この腰部固定用ベルト１３は、着丈調節のために持ち上げた下身頃全体を支えるため、強い緊締力を必要とする。そこで、本実施形態の場合、腰部固定用ベルト１３をゴム糸を織り込んだ伸縮性に富む布ベルトで構成すると共に、長い方のベルト１３ｂ即ち背中を経由して前に引き回されるベルト部分を二重となるように止め金具１７で固定している。そして、短い方のベルト１３ａの端部に一般に「かね」と呼ばれるフック形連結金具１５を縫い付ける一方、二重となった反対側のベルト１３ｂの端部１６（ベルトが折り返されてＵ形を成す端部）をフック形連結金具１５と対を成す雌側の留め具として利用し、Ｕ形を成す端部１６にフック形連結金具１５を引っ掛けることで両ベルト１３ａ，１３ｂを連結する引っ掛け式の留め具が使用されている。尚、本実施形態の場合、１本のベルト１３を腰部固定用ベルト通し１２に通して、ベルト１３ａ，１３ｂの両端がそれぞれ逆方向に向かって引き回せるように構成されているが、これに特に限られず、場合によっては、２本のベルトを逆向きに上前となる衿先の縁あるいは表面側に留め具で着脱自在に取り付けたり、あるいは直接縫い付けるようにしても良い。また、場合によっては、きもの本体の周りを一周して両端部分が重なる長さの１本の腰部固定用ベルト１３を腰部固定用ベルト通し１２に通した状態で重さなった両端部分をホックなどで連結して固定するようにしたものでも良い。
【００３４】
ここで、腰部固定用ベルト通し１２は、１箇所でも良いが、図２に示すように、丈方向に並べて配置される複数段の腰部固定用ベルト通し１２を設けるようにしても良い。例えば、１本の帯紐を途中で縫いつけることにより複数の区画に形成したり、あるいは複数本の帯紐の両端を縫い付けたり、ループ状の複数本の紐を縫い付けるようにしても良い。具体的には、腰部固定用ベルト通し１２は、本実施形態の場合、やや幅広の帯状紐を腰部固定用ベルト１３の幅よりもおおきな間隔を以て一定間隔毎に複数箇所で上前側の衿先の裏面に縫いつけることによって形成されている。この場合、きものの着用者の腰の高さなどに応じて、腰部固定用ベルト通し１２の位置を選択し、腰部固定用ベルト１３を取り付ける位置、ひいては腰部固定用ベルト１３できものを固定する位置を変更することができる。
【００３５】
また、両衿２の着用者の胸の部分にあたる位置には、襟元を引き合わせて固定する衿合わせ用ベルトが備えられている。この衿合わせ用ベルトは、下前となる衿に取り付けられ上前側となる前身頃の身八口５を通してきもの１の内から外へ抜けて背側を回って前側へ回される第１の衿合わせ用ベルト１８と、上前側となる前身頃側の衿に取り付けられきもの１の外を背側へと１周回って第１の衿合わせ用ベルト１８と前側で連結される第２の衿合わせ用ベルト１９とで構成され、衿２の形を整え衿合わせを行ってから襟元を引っ張って体の前で第１及び第２の衿合わせ用ベルト１８，１９を連結することで上身頃側を固定するようにしている。本実施形態の場合、下前となる衿に取り付けられる第１の衿合わせ用ベルト１８は、着用者の胸の部分にあたる衿の途中、より好ましくは衿合わせしたときに上前となる衿の下に隠れる部位に、衿合わせ用ベルト通し２０が縫い付けられて、そこに第１の衿合わせ用ベルト１８の端部が取り付けられることによってきもの本体に固定されている。また、上前側となる前身頃側の衿に取り付けられる第２の衿合わせ用ベルト１９は、着用者の胸の部分にあたる衿の途中、より好ましくは衿合わせしたときに帯で隠れる部位に、衿合わせ用ベルト通し２０が縫い付けられて、そこに第２の衿合わせ用ベルト１９の端部が取り付けられることによってきもの本体に固定されている。ここで、第１及び第２の衿合わせ用ベルト１８，１９は、ゴム糸を織り込んだ伸縮性に富む布ベルトで構成すると共に、それぞれの自由端側には、対を成す衿合わせ用の留め具２１の一方がそれぞれ備えられ、両ベルト１８，１９を互いに逆方向に引っ張って体に回してから両端の留め具２１を連結させることによって固定されるように設けられている。また、第１及び第２の衿合わせ用ベルト１８，１９のきもの本体１への取り付けは、図示省略しているが、衿合わせ用ベルト通し２０に通される方の端部に雌雄一対の面ファスナー（マジックテープ：登録商標）を長手方向に並べて縫いつけ、衿合わせ用ベルト通し２０に端部を通して折り返したときに雌雄一対の面ファスナーを接合させて衿合わせ用ベルト通しに巻き付けて取り付けるようにしている。この場合、面ファスナーの接合あるいは剥離させるだけで容易に第１及び第２の衿合わせ用ベルト１８，１９を衿合わせ用ベルト通し２０に対して着脱自在に取り付け得る。また、衿合わせ用ベルト通し２０が衿の裏面側あるいは縁に沿って設けられ、雄側・フック側が内向きに配置されている場合には、面ファスナーのフック側が露出したとしても、長襦袢に接触するだけなのできもの本体の生地を傷めるようなことがない。しかも、長襦袢には一般に正絹は使用されないので、面ファスナーで傷つくことはない。尚、本実施形態では、ベルト同士の連結には、凹凸の嵌合によって係合するスナップ方式の留め具を用いているが、これに特に限られる理由はなく、スナップやホック、ボタンとボタン穴あるいは使用生地によっては面ファスナーなどでも実施可能である。
【００３６】
ここで、各衿２の衿合わせ用ベルト通し２０は、上述の腰部固定用ベルト通し１２と同様に、１箇所でも良いが、丈方向に並べて配置される複数段の衿合わせ用ベルト通し２０を設けるようにしても良い。例えば、１本の帯紐を途中で縫いつけることにより複数の区画に形成したり、あるいは複数本の帯紐の両端を縫い付けたり、ループ状の複数本の紐を縫い付けるようにしても良い。このように腰部固定用ベルト１３あるいは第１及び第２の衿合わせ用ベルト１８，１９のいずれか一方若しくは双方のきもの本体１（あるいはゆかた本体）に対する取り付け位置を調節可能に構成すれば、きものを着る人の身長や体形に合わせて腰部並びに胸部の据わりの良い位置できものを身体に固定できる。
【００３７】
また、各ベルト１０，１３，１８，１９のきもの本体１に対する取り付けは、例えば、きものの裏地あるいは本体生地（ゆかたあるいは長襦袢の生地を含む）そのものに直接縫いつけて固定するようにしても良いが、きものの裏地あるいは本体生地に対して着脱自在に取り付けることが好ましい。この場合には、各ベルト１０，１３，１８，１９の取り付け位置を任意に選定できると共に、きもの１を折り畳むときに各ベルト１０，１３，１８，１９や留め具１１，１５，２１が折り畳み作業の邪魔とならず、かつ収納時に嵩張らないし、また、きもの本体１の洗濯時にも邪魔にならない。また、各ベルト１０，１３，１８，１９の着脱自在な取り付け手段は、きものの裏地あるいは本体生地そのものにベルト通し９，１２，２０を縫い付けておき、それに各ベルト１０，１３，１８，１９を通して固定する手法に限定されるものでなく、例えばコーリンベルトと呼ばれる固定手段のように、各ベルト１０，１３，１８，１９あるいは紐の端にクリップを備え、クリップによってきものの所望の位置に各ベルト１０，１３，１８，１９あるいは紐が固定されるようにしても良い。この場合には、各ベルト１０，１３，１８，１９あるいは紐は任意の位置に取り付けることができるので、各ベルト１０，１３，１８，１９あるいは紐の取り付け位置に調整幅を持たせるために複数段のベルト通し９，１２，２０あるいは紐通しを用意する必要がなくなる。
【００３８】
以上のように構成された本発明のきもの１によると、例えば次のようにして簡単に着付けを行うことができる。まず、必要に応じて肌襦袢、裾よけ、長襦袢などの下着を着用した上から、きもの１を羽織る。そして、後の処理をし易くするため、下前側の衿２に取り付けられた第１の衿合わせ用ベルト１８を上前となる側の身八口５を通してきもの１の外へ引き出しておく。勿論、衿合わせ時に第１の衿合わせ用ベルト１８を引き出すようにしても良い。次に、きもの１を羽織った状態で、着丈に応じた高さの着丈調節用ベルト通し９に通された後身頃用着丈調節ベルト１０を後ろ手で持ち上げ、裾線が床と平行で床すれすれの長さとなるように身丈調節をし、そのまま後身頃用着丈調節ベルト１０をきもの１の内側で体の前に回して両端の留め具１１を互いに連結して体に巻き付ける。このようにして、きもの１の後身頃３の着丈調節用ベルト通し９の位置を着用者の身体に固定することで、後身頃３の着丈を調整し、かつその状態を保時させる。さらに、前身頃４の下前側を少し褄先を上げながら上前側の下に巻き込み、左肘あるいは左手で下前の前身頃の袵６部分を上前の前身頃越しに押さえた状態のまま、上前側となる前身頃を足の甲に少しかかる位に持ち上げてから、衿先２ａに取り付けられた腰部固定用ベルト１３を腰回りに回して両端の留め具１５，１６を使って互いに連結して体に固定する。このとき、腰部固定用ベルト１３は、後身頃用着丈調節ベルト１０と同様に、身長に応じた高さの腰部固定用ベルト通し１２に通されている。したがって、第１及び第２の腰部固定用ベルト１８，１９を腰回りに回して固定すると、下見頃部分全体が身丈調節された状態で固定される。このとき、必要に応じて後ろのお端折りと前のお端折りとを整える。
【００３９】
その後、襟元が所望の開き、形となるように整えながら身八口５から引き出された第１の衿合わせ用ベルト１８を背中側を通して前へ引っ張る一方、上前側となる前身頃３の衿２に取り付けられた第２の衿合わせ用ベルト１９を第１の衿合わせ用ベルト１８とは反対側へ回して体の前で第１及び第２の衿合わせ用ベルト１８，１９の先端の一対の留め具２１を連結して固定することにより、衿合わせを完了する。さらに必要あれば、後のお端折りと前のお端折りとを整える。これにより、普通のきものでありながら、立体縫製の簡易きもののように、一人で簡単に美しくかつ型崩れなく着られる。しかも、第１及び第２の衿合わせ用ベルト１８，１９を体の前で連結して固定するので、着付けの作業が簡単となるし、また下身頃並びに上身頃を固定してからお端折りを整えることができ綺麗に処理することが容易となる。尚、本発明のきもの１の下に着用する長襦袢としては、普通の長襦袢でも、立体縫製の長襦袢でも良い。
【００４０】
次に、図３及び図４に本発明のきものを含むきものセットの実施の一形態を示す。上述のように、きもの１そのものを簡易に着やすい構造としても、その下の長襦絆を着崩れのないように衿の形を整えて見栄え良く一人で手早く着ることは、そう容易ではない。この問題は、立体縫製により製作された長襦袢の着用においても完全に解決されておらず、衿抜きが上手にできない、後衿の形状が安定せず着崩れが生じ易いなどの問題がある。一方、長襦袢は、きものの着付けの良し悪しを左右すると共にコーディネートのポイントともなる重要な存在であり、衿の合わせ加減や衿の抜き具合など、長襦袢の着方で着姿がかなり決まってしまうものである。
【００４１】
そこで、本発明のきものセットは、図１〜図２に例示するきもの１と、図３に例示する長襦袢（総称してインナーと呼ばれるものと同義に用いる）２２とを予め一体化して同時に着用できるようにしている。つまり、図１に例示するきもの１の後衿７の内側の面に着脱自在な一対の留め具３１の一方例えば雄あるいは雌のホック若しくはスナップが縫いつけられている。他方、長襦袢２２は、図３に示すように、後衿２７の外側の面に着脱自在な一対の留め具３１の他方例えば雌あるいは雄のホック若しくはスナップが縫いつけられている。そして、きもの１と長襦袢２２とを重ねてそれぞれの後襟７，２７を合わせて対向する留め具３１で後衿７，２７部分において着付け前に予め止め付けられて一体となって着られるように組み合わせられている。
【００４２】
また、長襦袢２２には、背（後身頃２４の上部）の内側には後衿２７を引き下ろす衿抜きのための引き布２６と該引き布２６に通されて当該長襦袢２２の内側で着用者の体に巻き付けられる襟抜きベルト２９とを備えると共に、衿２３の下部分例えば着用者の胸から腰の間には身八口２５を通して長襦袢２２の内側から外へ抜けて前見頃側へ回される襟元固定用第１ベルト３２と、長襦袢の外から背側へ回って反対側の前見頃側へ回される襟元固定用第２ベルト３３とを備えている。尚、襟元固定用第１及び第２のベルト３２，３３は、長襦袢本体２２に対し襟元固定用ベルト通し３４を通して図示していない留め具で着脱自在に取り付けたり、あるいは直接縫い付けるようにして備えられると共に、各ベルト３２，３３の自由端には体の前で互いの端部を係合させて連結するための留め具３５が設けられている。本実施形態の場合、一方のベルト例えば襟元固定用第１ベルト３２の端部に着脱自在な一対の留め具３５の一方例えば雄あるいは雌のホック若しくはスナップが縫いつけられると共に、他方のベルト例えば襟元固定用第２ベルト３３の端部には留め具３５の他方例えば雌あるいは雄のホック若しくはスナップが縫いつけられている。
【００４３】
引き布２６は、下に引っ張ることで衿抜きを可能とするものであり、例えば後身頃２４の背中心において上端が後身頃２４と衿２７との縫い合わせ部分に、下端が身八口２５と同程度の高さの位置で長襦袢２２の後身頃２４の背中心に対して左右対称になるよう配置されて縫い付けられている。したがって、引き布２６に通された襟抜きベルト２９を長襦袢２２の内側で着用者の体に巻き付けながら着用者の体の前へ回して固定することにより、長襦袢２２の衿抜きの深さを決定して固定することができる。
【００４４】
さらに、本実施例の場合、引き布２６には、襟抜きベルト２９を通すための筒状の複数の襟抜きベルト通し２８、例えば上段、中段、下段の三通りの襟抜きベルト通し２８が背丈方向に備えられ、いずれかの襟抜きベルト通し２８を選択して襟抜きベルト２９を通すことで衿抜きの深さを調整可能としている。即ち、上段、中段、下段の三通りの襟抜きベルト通し２８は、ほぼ同じ高さで体に固定される襟抜きベルト２９が通されることにより引き布２６を下に引っ張る力を与えたり、あるいは引っ張る力を解放したりすることにより、きものの個性及び特徴に応じた後衿の深さを簡単に造りだせる。例えば、最下段の襟抜きベルト通し２８は普段着等での衿抜き、中段の襟抜きベルト通し２８は訪問着等での衿抜き、最上段の襟抜きベルト通し２８はより深い衿姿が必要となるきもの等、夫々の個性に適したベルト通し高さを設定することができる。しかも、襟抜きベルト２９を締め付けて固定した時には後衿２７を下げた状態で固定されるため衿抜きが安定する。
【００４５】
また、襟抜きベルト２９は、本実施形態の場合、その両端に留め具３０を備えたゴム糸を織り込んだ伸縮性に富む布ベルトを用いるようにしている。本実施形態の場合、襟抜きベルト２９は伸縮性に富むゴム入りの布ベルトを使用しているがこれに特に限定されるものではなく、長さが調整可能な布ベルトや紐を用いるようにしても良い。
【００４６】
以上のように構成されたきものセットは、次のようにして簡単に着用できる。まず、所望とする長襦袢２２の衿抜きの深さに応じて襟抜きベルト２９を通す引き布２６の襟抜きベルト通し２８の位置・段を決め、該当する段の襟抜きベルト通し２８に襟抜きベルト２９を通す。また、きもの１には、着用者の着丈に応じた高さの着丈調節用ベルト通し９並びに腰部固定用ベルト通し１２に後身頃用着丈調節ベルト１０並びに腰部固定用ベルト１３を通す。勿論、後ろ手でベルト通しが難なくできるのであれば、予め各ベルト通し９，１２に各ベルト１０，１３を通しておかなくとも、羽織った状態で通すようにしても良い。さらに複数段の衿合わせ用ベルト通し２０が設けられている場合には、必要あれば、第１及び第２の衿合わせ用ベルト１８，１９を連結する位置を予め選択しておくこともできるし、必要に応じて取り付け位置を変更するようにしても良い。
【００４７】
次いで、長襦袢２２の後衿２７の外側ときもの１の後衿７の内側との間の留め具３１を嵌めて、長襦袢２２ときもの１とを後衿２７，７部分で一体化し、互いの関係を固定してきもの１と長襦袢２２を同時に羽織れるようにする。
【００４８】
そして、後衿２７，７部分で背中の一体化され組み合わせられた長襦袢２２ときもの１とに同時に袖を通して羽織る。その状態で、長襦袢２２の内側から手を背中に回して襟抜きベルト２９の両端を探し出して体の前へ回し、襟抜きベルト２９の両端の留め具３０を貼り合わせることで固定する。これにより、襟抜きベルト２９が引き布２６の通されたベルト通し２８の段の位置に応じて、引き布２６が下に引っ張られて固定されるので、長襦袢２２の衿抜きの深さが決められると同時に固定される。つまり、両手を自由に動かせる状態で背中側に在る襟抜きベルト２９を掴んで前に回して任意の衿の深さをつくることができるので、熟練していなくとも一人で手早くかつ容易に衿抜きができる。しかも、長襦袢２２の内側で襟抜きベルト２９を体の前に回して体に巻き付けるだけで後衿２７の深さを決めて固定するようにしているので、後衿２７部分で留め具３１により一体化されたきもの１と長襦袢２２とを羽織った状態でも、簡単に長襦袢２２の内側の背側にある襟抜きベルト２９を探し出して前方へ回し、所望の衿深さに衿２３を抜いた状態で長襦袢２２の背側を体に固定することができる。このため、その後の襟元固定用第１及び第２のベルト３２，３３を利用した長襦袢２２の前側の固定の際に、衿２３の形や深さが変わって着崩れを惹起することがない。しかも、衿抜きの深さ調整は、襟抜きベルト２９を通す引き布２６のベルト通し２８を選択することで簡単に調整可能とすることができるので、熟練していなくとも一人で手早くかつ容易に衿抜きができる。しかも、その後の長襦袢２２、きもの１の着付けにおいて着崩れを起こすことがない。  
【００４９】
その後、きもの１の下前側の衿２に取り付けられた第１の衿合わせ用ベルト１８を上前となる側の身八口５を通してきもの１の外へ引き出してから、長襦袢２２とその上に羽織ったきもの１との間に両手を入れて、後ろ手で後身頃用着丈調節ベルト１０の両端を掴み、きもの１の内側で体の前に回してきもの１の後身頃３側の着丈を調整しながら後身頃用着丈調節ベルト１０を体に巻き付け、両端の留め具１１を使って固定する。さらに、前身頃３の下前側を少し褄先を上げながら上前側の下に巻き込み、左肘あるいは左手で下前の前身頃３の袵６部分を上前の前身頃越しに押さえた状態のまま、上前側となる前身頃３を足の甲に少しかかる位に持ち上げてから、衿先に取り付けられた腰部固定用ベルト１３を腰回りに回して両端の留め具１５，１６を使って互いに連結して体に固定する。
【００５０】
その後、襟元を整えながら身八口５から引き出された下前側の第１の衿合わせ用ベルト１８と上前側となる衿に取り付けられた第２の衿合わせ用ベルト１９とを体の前に引っ張って先端の留め具２１を連結して固定することにより、衿合わせを完了する。同時に、後のお端折りと前のお端折りとを整える。これにより、普通のきものでありながら、立体縫製の簡易きもののように、一人で簡単に美しくかつ型崩れなく着られる。しかも、第１及び第２の衿合わせ用ベルト１８，１９を体の前で連結して固定するので、着付けの作業が簡単となるし、また上身頃を固定してからお端折りを整えることができ綺麗に処理することが容易となる。
【００５１】
尚、長襦袢２２としては、普通の長襦袢でも、立体縫製の長襦袢でも良いが、より好ましくは、着用者の体形に合わせて立体縫製することにより洋服感覚で簡易に着られることを可能とした立体縫製の長襦袢とすることである。立体縫製の長襦袢は、縫製した際に着用者の身体に適合するように予め立体裁断されたパーツを曲線縫製して立体的に構成されたものであり、身体にフィットして襟元が美しく作られるように仕立てられている。
【００５２】
また、本発明は、図５に示すように、ゆかたにも適用できる。このゆかた３６は、普通の仕立てのゆかた（伝統的な縫製のゆかたであり、付属する各ベルトに対するときにはゆかた本体と称する）に少なくとも衿抜き用ベルト２９、第１及び第２の衿合わせ用ベルト１８，１９並びに腰部固定用ベルト１３の３種類のベルトを備えたものであり、ゆかた本体は新たに仕立てても良いし、既存のゆかたをそのまま利用しても良い。
【００５３】
ここで、ゆかた３６は、下に長襦袢を着用しないこと、生地が薄く軽いためきものよりもきつく締め付ける必要がないこと、さらに長襦袢を着用しないが故に襟元が乱れるとだらしなく見えると共に襟抜きを必要とするなどの点で普通のきものとは違っているが、その他の点では上述の普通のきものと本質的に変わらない。このため、着付けのポイントは衿回りとなり、襟元が崩れてしまうとだらしなく見えるので注意が必要である。また、ゆかた３６は、きもの１に比べて生地が薄く軽いため、後身頃３８を引き上げて裾線を合わせた後に、前身頃３９の下前、上前を合わせる際に後身頃３８部分が自重でずり落ちることが少ないので、後身頃３８部分を特別にベルトなどで強く固定しておく必要は少ない。しかしながら、着付けの当初において、後身頃３８の腰部付近を着用者に固定することは、裾線を決めて着丈を調整したりお端折りを整える上で、一層着付けを容易なものとする上で有利である。
【００５４】
そこで、本発明のゆかたにおいては、図５に示すように、背（後身頃３８の上部）の内側には後衿４２を引き下ろす衿抜きのための引き布２６と該引き布２６に通されて内側で着用者の体に巻き付けられ後衿４２の深さを決める衿抜き用ベルト２９とを備える一方、下前となる衿３７に取り付けられ上前側となる前身頃の身八口４１を通してゆかた３６の内から外へ抜けて背側を回って前側へ回される第１の衿合わせ用ベルト１８と、上前側となる前身頃側の衿３７に取り付けられゆかた３６の外を背側へと１周回って第１の衿合わせ用ベルト１８と前側で連結される第２の衿合わせ用ベルト１９と、上前となる前身頃の衿先３７ａ部分に備えられて背側へと回されて前側で連結されて腰の位置で合わせ前身頃の着丈並びにゆかたの腰部付近を固定する腰部固定用ベルト１３とを備え、後身頃用着丈調節ベルト１０を着用者の身体に巻き付けて後身頃３８の着丈位置を調整してから、腰部固定用ベルト１３を用いて前身頃３９の着丈を調整すると共に下見頃側を固定し、他方、第１及び第２の衿合わせ用ベルト１８，１９を用いて衿の形を整え衿合わせを行ってから上身頃側を固定することができる。因みに、お端折りは、腰部固定用ベルト１３で下身頃を固定したとき、あるいは第１及び第２の衿合わせ用ベルト１８，１９を用いて上身頃側を固定したときに、若しくは双方の固定が完了したときに、必要に応じて整えられる。
【００５５】
本発明のゆかた３６においては、好ましくは、図６に示すように、さらに後身頃３８の腰部付近の内側の面に後身頃用着丈調節ベルト１０を備えることである。後身頃用着丈調節ベルト１０は、例えば図１に示すきもの１と同様に、後身頃３８の腰部付近の内側の面（裏地）に取り付けられ、ゆかた３６の内側で着用者の体の前へ回して両端を連結することにより当該後身頃用着丈調節ベルト１０が取り付けられた部分・位置の後身頃３８を着用者の身体に固定するものである。後身頃用着丈調節ベルト１０は、例えば、後身頃３８の腰部付近の裏地に縫い付けられた複数段の着丈調節用ベルト通し９を備え、任意の段の着丈調節用ベルト通し９に後身頃用着丈調節ベルト１０を通すことによって、後身頃３に後身頃用着丈調節ベルト１０を取り付けるようにしている。着丈調節用ベルト通し９は、後身頃３の中央（背中の中心）と左右両端の３カ所に設けられている。
【００５６】
ここで、ゆかた本体３６ときもの本体１との間の構造上の相違は生ずるものの、上述のゆかた本体３６に対する第１及び第２の衿合わせ用ベルト１８，１９並びに腰部固定用ベルト１３の関係は、基本的には上述のきもの本体１に対するものと同じであるので、詳しい説明を省略する。また、ゆかた本体３６と長襦袢本体２２との間の構造上の相違は生ずるものの、上述のゆかた本体３６に対する衿抜きのための引き布２６と該引き布２６に通されて内側で着用者の体に巻き付けられ後衿の深さを決める衿抜き用ベルト２９との関係は、基本的には上述の長襦袢本体２２に対するものと同じであるので、詳しい説明を省略する。尚、ゆかた３６の場合には、下に長襦袢を着用しないことと、生地が薄く軽いため、きものよりもきつく締め付ける必要がないので、緊締力の強いゴム糸入り布ベルトなどに代えて紐あるいは緊締力の比較的弱いゴム糸入り布ベルトを用いることもある。
【００５７】
以上のように構成された本発明のゆかた３６によると、例えば次のようにして簡単に着付けを行うことができる。まず、好みのゆかたの衿抜きの深さに応じて襟抜きベルト２９を通す引き布２６の襟抜きベルト通し２８の位置・段を決め、該当する段の襟抜きベルト通し２８に襟抜きベルト２９を通す。そして、必要に応じて下着を着用した上から、ゆかたを羽織る。その状態で、ゆかたの内側から両手を背中に回して襟抜きベルト２９の両端を探し出して体の前へ回し、襟抜きベルト２９の両端の留め具即ち面ファスナー３０を貼り合わせて体に固定することで、引き布２６を下に引っ張った状態で固定し、ゆかた３６の衿抜きの深さを決めると同時に固定する。その後、ゆかた３６の下前側の衿３７に取り付けられた第１の衿合わせ用ベルト１８を上前となる側の身八口４１を通してゆかた３６の外へ引き出してから、さらに、衿先から１／３位のところを両手で持ち、下見頃を持ち上げて裾線を決めると共に下前側となる前身頃を少し褄先を上げながら上前側の下に巻き込み、左肘あるいは左手で下前の袵部分４０を上前の前身頃３９越しに押さえた状態のまま、上前側となる前身頃３９を足の甲に少しかかる位に持ち上げてから、衿先３７ａに取り付けられた腰部固定用ベルト１３を腰回りに回して両端の留め具を使って互いに連結して体に固定する。その後、襟元を整えながら身八口４１から引き出された下前側の第１の衿合わせ用ベルト１８と上前側となる前身頃の衿３７に取り付けられた第２の衿合わせ用ベルト１９とを体の前に引っ張って第１及び第２の衿合わせ用ベルト１８，１９を体の前で連結して固定することにより、衿合わせを完了する。同時に、後ろのお端折りと前のお端折りとを整える。
【００５８】
尚、後身頃用着丈調節ベルト１０を備える図６のゆかたの場合には、襟抜きを行った後に、後ろ手で後身頃用着丈調節ベルト１０の両端を掴み、ゆかた３６の内側で体の前に回してゆかた３６の後身頃３８側の着丈を調整しながら後身頃用着丈調節ベルト１０を体に巻き付け、両端の留め具１１を使って体の前で固定する。これにより、両手を自由に動かせる状態で、下前、上前を決め、腰回りを腰部固定用ベルト１３で固定することができる。したがって、ゆかたを着ることについて全くの初心者でも一層極めて容易に着付けることができる。
【００５９】
なお、上述の実施形態は本発明の好適な実施の一例ではあるがこれに限定されるものではなく、本発明の要旨を逸脱しない範囲において種々変形実施可能である。例えば、図１のきものの実施形態では、後身頃用着丈調節ベルト１０は、後身頃３の腰部付近の裏地に縫い付けた着丈調節用ベルト通し９を介して後身頃に取り付けられるようにしているが、これに特に限られる理由はなく、きもので一般に用いられるホックなどの雌雄一対の留め具や、ボタンとボタン穴との組み合わせを用いて着脱自在に取り付けるようにしても良い。この場合、留め具の一方をきもの１の裏地に縫い付けると共に、他方を後身頃用着丈調節ベルト１０に縫い付け、これら一対の留め具の係合で着脱可能としても良い。この場合に、裏地側に縫い付けられる留め具の一方を丈方向に何段かに設けることで、後身頃用着丈調節ベルト１０の後身頃への取り付け位置を選択可能とすることも可能である。また、本実施形態では、きものに対し、後身頃用着丈調節ベルト、第１及び第２の衿合わせ用ベルト１８，１９並びに腰部固定用ベルト１３の３種類のベルトは着脱可能に取り付けられているが、これに特に限られる理由はなく、場合によってはきもの本体１に直接縫い付けて固定しても良い。また、ゆかた３６の場合も同様で、後身頃用着丈調節ベルト１０、第１及び第２の衿合わせ用ベルト１８，１９並びに衿抜き用ベルト２９の３種類のベルトを着脱可能に取り付けることに特に限られる理由はなく、場合によってはゆかた本体３６に直接縫い付けて固定しても良い。さらには、ゆかた３６において腰部固定用ベルト１３を設ける場合にも同様であり、腰部固定用ベルト１３を直接ゆかた３６に縫い付けて固定するようにしても良い。さらに、長襦袢２２における第１及び第２の襟元固定用ベルト３２，３３についても、同様に、長襦袢本体２２に着脱可能に取り付けることに特に限られる理由はなく、場合によっては長襦袢本体２２に直接縫い付けて固定しても良い。
さらに、本実施形態では、きものやゆかたを着ることについて全くの初心者でも極めて容易に着付けることができるように、後身頃用着丈調節ベルト１０、第１及び第２の衿合わせ用ベルト１８，１９、腰部固定用ベルト１３並びに襟抜きベルト２９としては、引っ掛け式の留め具、雌雄一対のスナップやホック、ボタンとボタン穴あるいはマジックテープ（登録商標）などのワンタッチ方式の連結手段を備える、ゴム糸を織り込んだ伸縮性に富む布ベルトを用いた例を挙げて説明したが、これに特に限られるものではなく、伸縮性の無い紐さらには連結手段を備えない紐を用いるようにしても良い。したがって、本明細書における「後身頃用着丈調節ベルト１０」、「第１及び第２の衿合わせ用ベルト１８，１９」、「腰部固定用ベルト１３」並びに「襟抜きベルト２９」の用語は、伸縮性の無い紐を含むものである。
【符号の説明】
【００６０】
１  きもの
２  衿
２ａ  衿先
３  後身頃
４  前身頃
５  身八口
７  きものの後衿
９  着丈調節用ベルト通し
１０  後身頃用着丈調節ベルト
１１  後身頃用着丈調節ベルトの両端の留め具
１２  腰部固定用ベルト通し
１３  腰部固定用ベルト
１３ａ  第１のベルト（左回りの短いベルト）
１３ｂ  第２のベルト（右回りの長いベルト）
１５，１６  腰部固定用ベルトの留め具を構成するフック形連結金具とそれが引っ掛けら
れるベルトの端部
１８  第１の衿合わせ用ベルト
１９  第２の衿合わせ用ベルト
２０  衿合わせ用ベルト通し
２１  衿合わせ用ベルトの留め具
２２  長襦袢
２３  衿
２３ａ  衿先
２４  後身頃
２５  身八口
２６  引き布
２７  後衿
２８  襟抜きベルト通し
２９  襟抜きベルト
３０  襟抜きベルトの留め具
３１  後衿用留め具
３２  襟元固定用第１ベルト
３３  襟元固定用第２ベルト
３４  襟元固定用ベルト通し
３５  襟元固定用ベルトの留め具
３６  ゆかた
３７  衿
３７ａ  衿先
３８  後身頃
【図１】
2013002021.tif 000003
【図２】
2013002021.tif 000004
【図３】
2013002021.tif 000005
【図４】
2013002021.tif 000006
【図５】
2013002021.tif 000007
【図６】
2013002021.tif 000008